(57)【要約】      （修正有）【課題】写真などを差し込んで鑑賞用として使用できるフォトスタンドクリアファイルを提供する。【解決手段】透明度の高いプラスチックを二つ折りにして、書類を入れる事が出来る形状のクリアファイル本体１１を平面から見て、左折り曲げ部１、上部開放部２、右開放部６、表と裏を固定した下部圧着部８とし、裏面には、Ｌ版の写真差し込み用とＫＧ版の写真差し込み用のツメ、およびミシン目組み立て足を配置し、さらに裏面上部には壁掛け用のツメを配置した。右開放部の上部に、半円に切り抜いた開放穴４を設け、裏面に設けた差込穴３に差し込み、開放部を固定する。フォトフレーム・宣伝広告効果の役割を果たすため印刷７を施すのが好ましい。【選択図】図１
0003195994.tif 000002
【実用新案登録請求の範囲】
【請求項１】
クリアファイルの保管、整理する機能だけでなく、フォトスタンドとしての観賞用機能を追加したことを特長とした一体型クリアファイル。
【請求項２】
内側に写真を設置するツメを設け、観賞用に写真を保管できることを特長としたクリアファイル。
【請求項３】
解放部分に固定用ツメを設け、立てかけたときに開放しないことを特長としたクリアファイル。
【請求項４】
組み立て式の足により単体で卓上等に縦横どちらでも自立でき観賞用として使用できることを特長としたクリアファイル。
【請求項５】
裏面のツメにより壁掛けが可能となり観賞用として使用できることを特長としたクリアファイル。
【考案の詳細な説明】
【技術分野】
【０００１】本考案は、クリアファイルと写真立てに関するものである。
【背景技術】
【０００２】従来のクリアファイルは書類などを汚れや折り目から保護し、整理する目的が主流である。
【先行技術文献】
【特許文献】
【特許文献１】特開２００９−２６２５１６号
【特許文献２】特開２０１２−１１１０５６号
【特許文献３】登録実用新案第３１６０１６１号
【考案の概要】
【考案が解決しようとする課題】
【０００３】しかしながら、従来のクリアファイルでは内容物を整理・保護するしか使用できず、写真などを差し込んで鑑賞用として使用することが困難であった。【０００４】従来のクリアファイルでは卓上で立てかけることが困難であった。【０００５】内容物をセットして無理に立てかけても２辺が開放しているために、２辺が開いてしまう欠点があった。
【課題を解決するための手段】
【０００６】本考案はクリアファイル本体（１１）裏面に写真を固定するツメ（９）と（１０）を設け、写真を固定できることを特長とするクリアファイルである。【０００７】裏面には組み立て足（１４）（１５）を設け、本体が縦でも横でも自立し、又はツメ（１２）（１３）を使用して壁掛け又は画鋲などで固定でき、写真を入れて観賞用として使用できることを特長とする。【０００８】本体右上にはワンタッチで差し込めるツメ（４）を設けて開放防止できることを特長とする。【０００９】材質は透明度の高いプラスチックを使用することで、（５）の面からセットした書類・写真を鑑賞できることを特長とする。
【考案の効果】
【００１０】写真が滑り落ちないように固定でき、保管できる。【００１１】縦型・横型に卓上または壁掛けができ、観賞用として使用できる。【００１２】全てが一体型のため、写真を固定するパーツやカバーを付けるなどの手間がない。【００１３】書類を保管・整理するなどクリアファイルとして使える。【００１４】写真フレーム部分（７）は印刷が容易なため抜き型を変更することなく、様々なデザインを安価に製造できる。【００１５】写真フレームは印刷なので窓の形が自由なデザインができる。【００１６】開放防止ツメがあり、ワンタッチで固定でき、立てかけても（２）（６）の２辺が開放されない。【００１７】材質は透明度の高いプラスチックを使用することで（５）部分から内容物の鑑賞が容易になり、（５）部分を抜く加工が必要なくなり生産効率を上げれる。
【図面の簡単な説明】
【００１８】
【図１】本考案の視図である。
【図２】本考案の使用状態一例の側面図である。
【図３】本考案の使用状態の一例を示す斜視図である。
【図４】本考案の使用状態の一例を示す図である。
【図５】本考案の他の使用状態の一例を示す図である。
【図６】本考案の背面図である。
【図７】本考案の展開図である。
【考案を実施するための形態】
【００１９】以下、本考案の形態を図に基づいて説明する。
【実施例１】
【００２０】図１は本考案のフォトスタンドファイルの視図である。フォトスタンドファイルの左辺（１）は山折になっており、底辺（８）で超音波又は熱溶着で固定されている。そのため左辺（１）と底辺（８）は閉じた状態になっている。上辺（２）と右辺（６）は開口しているため、ここから写真等を出し入れすることができる。
【実施例２】
【００２１】図６の裏面足（１４）（１５）を切り離し（１６）を谷折りにし、（１４）（１５）の交わる部分（１７）を噛み合わせ組立て、本体を縦横どちらでも自立できるようにする。フォトスタンドファイル開口部分から内側のツメ（９）もしくはツメ（１０）に写真を差しこみ、固定できる。また、フレーム部分の印刷は宣伝広告効果の役割を果たすため（７）の部分に施すものとする。
【実施例３】
【００２２】壁掛けとして使用する場合、縦型の場合は図６の（１２）のツメを谷折りにし、横型の場合は（１３）を谷折りにし、図５のように表面からはみ出す状態にする。表面からはみ出したツメ（１２）または（１３）の穴を利用することで壁に掛けるか、画鋲で止めることが可能となり観賞用として使用できる。
【実施例３】
【００２３】本考案のフォトスタンドファイルは表面から写真を鑑賞するためと、加工・印刷を容易とするために透明度の高いプラスチックから構成されている。
【符号の説明】
【００２４】１  折り曲げ部
３  （４）開放部固定ツメ差し込み口
２、６  開放部
４  開放部固定ツメ
５  透明部
７  印刷部分
８  圧着部
９、１０  写真固定ツメ
１１  フォトスタンドファイル本体
１２、１３  壁掛け用ツメ
１４、１５  組み立て足
１６  谷折り部
１７  組み立て足固定部
【図１】
0003195994.tif 000003
【図２】
0003195994.tif 000004
【図３】
0003195994.tif 000005
【図４】
0003195994.tif 000006
【図５】
0003195994.tif 000007
【図６】
0003195994.tif 000008
【図７】
0003195994.tif 000009
【手続補正書】
【提出日】平成26年8月9日(2014.8.9)
【手続補正１】
【補正対象書類名】実用新案登録請求の範囲
【補正対象項目名】全文
【補正方法】変更
【補正の内容】
【実用新案登録請求の範囲】
【請求項１】
（１）は山折になっており、（８）で超音波又は熱溶着で固定され、そのため（１）と（８）は閉じた状態になっており、（２）と（６）は開口しており、写真を固定するツメ（９）と（１０）を設け、組み立て足（１４）（１５）を設け、壁掛け又は画鋲などを使用して固定できる（１２）（１３）を設け、表面に半円に切り抜いた半円の開放穴（４）を（３）に差し込み開放部を固定でき、１枚の板材から形成されるフォトスタンドファイル。
【請求項２】
内側に写真を設置するツメを設け、観賞用に写真を保管できることを特長とする請求項１のフォトスタンドクリアファイル。
【請求項３】
解放部分に固定用ツメを設け、立てかけたときに開放しないことを特長とする請求項１のフォトスタンドクリアファイル。
【請求項４】
組み立て式の足により単体で卓上等に縦横どちらでも自立でき観賞用として使用できることを特長とする請求項１のフォトスタンドクリアファイル。
【請求項５】
裏面のツメにより壁掛けが可能となり観賞用として使用できることを特長とする請求項１のフォトスタンドクリアファイル。
【手続補正書】
【提出日】平成26年11月21日(2014.11.21)
【手続補正１】
【補正対象書類名】実用新案登録請求の範囲
【補正対象項目名】全文
【補正方法】変更
【補正の内容】
【実用新案登録請求の範囲】
【請求項１】
フォトスタンドファイルの左辺（１）は山折になっており、底辺（８）は超音波又は熱溶着で固定され、そのため左辺（１）と底辺（８）は閉じた状態になっており、上辺（２）と右辺（６）は開口しており、写真を固定するツメ（９）（１０）を裏面の左上部と右下部に設け、組み立て式の足（１４）（１５）を裏面中央部に設け、壁掛け又は画鋲などを使用して固定できる壁掛け用ツメ（１２）（１３）を裏面上部と左部に設け、表面に半円に切り抜いた開放部固定ツメ（４）を開放部固定ツメ差し込み口（３）に差し込むことで開放部を固定でき、１枚の板材から形成されるフォトスタンドファイル。
【請求項２】
内側に写真を設置するツメを設け、観賞用に写真を保管できることを特長とする請求項１のフォトスタンドクリアファイル。
【請求項３】
解放部分に開放部固定ツメを設け、立てかけたときに開放しないことを特長とする請求項１のフォトスタンドクリアファイル。
【請求項４】
組み立て式の足により単体で卓上等に縦横どちらでも自立でき観賞用として使用できることを特長とする請求項１のフォトスタンドクリアファイル。
【請求項５】
壁掛け用ツメにより壁掛けが可能となり観賞用として使用できることを特長とする請求項１のフォトスタンドクリアファイル、